【事件の表示】
　特願２００５−２２０８９２「ホログラムとそれを用いたホログラム観察具」拒絶査定不服審判事件〔平成１８年　５月１８日出願公開、特開２００６−１２６７９１〕について、次のとおり審決する。
【結　論】
　本件審判の請求は、成り立たない。
【理　由】
１　手続の経緯
　本願は、平成１７年７月２９日（優先権主張平成１６年９月２８日）の出願であって、平成２３年１月１３日付けで手続補正がなされ、同年１０月５日付けで拒絶査定がなされ、これに対して、同年１２月６日に拒絶査定不服審判が請求されたものである。
　
２　本願発明
　本願の請求項１ないし４に係る発明は、平成２３年１月１３日付けで補正された特許請求の範囲の請求項１ないし４に記載された事項によって特定されるものであるところ、その請求項１に係る発明は、平成２３年１月１３日付けで補正された明細書、特許請求の範囲及び図面の記載からみて、次のとおりのものと認める。
　
「複数の原画像をそれぞれフーリエ変換して得られる複数の対応するフーリエ変換像を、同一面上に所定の２次元配列原理に基づいて配列して計算機ホログラムとして作成されたホログラムであって、前記ホログラムを通して片目で背後の複数の略点光源を見たときに、前記複数のフーリエ変換像の配列位置に応じて複数の画像が同時に並列して再生されるものであり、
　各原画像に対応する前記フーリエ変換像を単数又は複数並列配列して各原画像に対応する単位ホログラムが構成され、複数の原画像に対応する単位ホログラムを同一面上に所定の２次元配列原理に基づいて配列されており、
　前記複数の単位ホログラム各々の最大径が４ｍｍ以上、２Ｌ・ｔａｎ１０°以下の大きさの任意の形状のものからなることを特徴とするホログラム。」（以下「本願発明」という。）
　
３　刊行物の記載事項
　原査定の拒絶の理由に引用された「本願の出願前に頒布された刊行物である特開２００２−１４９０４５号公報（以下「引用例」という。）」には、図とともに次の事項が記載されている（下線は当審で付した。以下同じ。）。
（１）「【０００８】
【発明の実施の形態】＜第１の実施形態＞以下、図面を参照して本発明の実施の形態について説明する。図１は本発明に係る
ホログラム記録媒体
【０００９】第１の実施形態では、図１に示すようにお互いに視差のある６枚の画像cube01〜cube06を例にして説明する。
隣り合う画像cube01〜cube06間には５度の視差があり、６枚合計で２５度の視差がある。画像cube01〜cube06の各々は３００×３００画素の２５６調グレースケールである
【００１０】この３００×３００画素の画像cube01〜cube06
に対し、
その周囲に黒い余白を設けて全体を４８０×４８０画素の原画１を作成
原画１に基づいてフーリエ変換を用いて
ＣＧＨ２のユニットセル２ａを作成
ＣＧＨ２は１画素＝２μｍ、ユニットセルサイズ＝９６０×９６０μｍ、１６値（１６段の凹凸を持つＣＧＨ）
【００１１】そして、図３に示すように画像cube01〜cube06それぞれのユニットセルサイズ（９６０×９６０μｍ）
を横に５個、縦に１０個並べ
横４．８ｍｍ（４，８００μｍ）×縦９．６ｍｍ（９，６００μｍ）のブロックを６個作成し
左から画像cube06、cube05、・・・、cube01の順に配列してホログラム群を作成
【００１２】そして、
これに基づいてシリコンウェハ上にＬＳＩ製造プロセスを用いて１６値のＣＧＨ２を作成
１６値（１６段の凹凸）
エッチング深さを
４種類の組み合わせで、
４回のエッチングで１６段の凹凸を作成する
【００１３】本実施例では、深さ＝ｒλの回折効率が最もよくなるように設定しているので、ＣＧＨ２を通した背景は見づらくなる。しかし、波長λを半分の値にするなどにより回折効率を下げるとＣＧＨ２を通した背景を見ることができ、更にＣＧＨ２の再生像３も見ることができるようになる。また、ユニットセル２ａを千鳥状や歯抜け状、縦又は横のラインを１つ飛ばすなどして配置して、ユニットセル２ａがない部分は、そのまま背景が透過又は反射するように構成することにより、ＣＧＨ２を通した背景を見ることができるようになる。これにより、ＣＧＨ２の再生像３とその背景を重ね合わせて見ることができるという効果が得られる。
【００１４】次にＣＧＨ２の製造方法を更に詳しく説明する。上記のような
凹凸パターンが形成されたシリコンウェハから金型を作って、この金型に基づいて
シリコンウェハ上に左から画像cube06、cube05、・・・、cube01の順に配列したもの
２Ｐ成型によりＣＧＨ２を複製し、
た２つ同じものを右目用と左目用に用意
【００１５】なお、右目と左目の間隔には個人差があるので、
左右のＣＧＨ２の距離は調整
LEFT（左）、RIGHT（右）で示す両目に対して１つずつずれたペア画像になるように２つのＣＧＨ２を離して配置する
点光源１０を、両目でそれぞれ左右のＣＧＨ２を介して覗き込むと、
（左，右）
＝（cube01，cube02），
（cube02，cube03），
・・・・・・・・
（cube05，cube06）
のように１つずつずれたペア画像（光源の位置に見える虚像）となり、このペア画像が視差のある画像としてそれぞれ左右の目に再生される
【００１６】さらに、この状態で図５に示すように
光源（LIGHT）１０が左右（図の位置１０−１、１０−２、１０−３）に動くと、左右のペア画像が順にシフトするので、光源１０の位置に見える虚像があたかも動いている（図１に示す例では回転している）ように見え、立体画像を再生することができる。同様に、上下方向についても異なる画像を上記のようにＣＧＨ２を作成すると、像が上下方向も含めて変化する様子を見ることができる
　
（３）上記（１）ないし（２）からみて、引用例には、
「第１画像（cube01）と第２画像（cube02）、第２画像と第３画像（cube03）、第３画像と第４画像（cube04）、第４画像と第５画像（cube05）、第５画像と第６画像（cube06）の各々の間に５度の視差が、合計６枚で２５度の視差がある、各々が３００画素×３００画素の２５６調グレースケールである第１画像ないし第６画像に対し、その周囲に黒い余白を設けて作成した全体で４８０画素×４８０画素である第１原画ないし第６原画に基づいてフーリエ変換を用いて、１画素＝２μｍ、ユニットセルサイズ＝９６０μｍ×９６０μｍ、１６段の凹凸を持つ１６値のＣＧＨ（計算機ホログラム）である第１ユニットセルないし第６ユニットセルを作成し、第１ユニットセルを横に５個、縦に１０個並べ、横４．８ｍｍ×縦９．６ｍｍの第１ブロックを作成し、第２ユニットセルないし第６ユニットセルをそれぞれ同様に並べて第２ブロックないし第６ブロックをそれぞれ作成し、左から第６ブロック、第５ブロック、・・・、第１ブロックの順に配列して第１ホログラム群を作成し、第１ホログラム群に基づいてシリコンウェハ上にＬＳＩ製造プロセスを用いて、エッチング深さの４種類の組み合わせで、４回のエッチングで１６段の凹凸パターンを作成し、左から第６ブロック、第５ブロック、・・・、第１ブロックの順に配列した凹凸パターンが形成されたシリコンウェハから金型を作って、この金型に基づいて２Ｐ成型により２つの同じＣＧＨである第１ＣＧＨ及び第２ＣＧＨを複製しこれを左目用と右目用として用意し、第１画像ないし第６画像のうちの左目に対する画像と右目に対する画像とが１つずつずれたペア画像になるように第１ＣＧＨと第２ＣＧＨとを離しその距離を調整して配置し、左目及び右目でそれぞれ第１ＣＧＨ及び第２ＣＧＨを介して１つの点光源を覗き込むと、（左目，右目）＝（第１画像，第２画像），（第２画像，第３画像），・・・・・・・・（第５画像，第６画像）のように左目及び右目により点光源の位置に１つずつずれたペア画像の虚像が見えることとなり、このペア画像が視差のある画像としてそれぞれ左右の目に再生され、点光源が左右に動くと、左右のペア画像が順にシフトするので、点光源の位置に見える虚像があたかも動いているように見え、立体画像を再生することができ、同様に、上下方向についても第１画像ないし第６画像とそれぞれ例えば５度の視差がある異なる第７画像ないし第１２画像から作成した第７ブロックないし第１２ブロックを含めて配列して作成した第２ホログラム群から第１ＣＧＨ及び第２ＣＧＨを作成すると、像が上下方向も含めて変化する様子を見ることができるホログラム記録媒体。」の発明（以下「引用発明」という。）が記載されているものと認められる。
　
４　対比
　本願発明と引用発明とを対比する。
（１）引用発明の「第１画像ないし第６画像、第７画像ないし第１２画像」、「フーリエ変換を用いて」、「１画素＝２μｍ、ユニットセルサイズ＝９６０μｍ×９６０μｍ、１６段の凹凸を持つ１６値のＣＧＨ（計算機ホログラム）であるユニットセル」、「ＣＧＨ（計算機ホログラム）」、「ホログラム記録媒体」、「点光源」、「虚像が見える」及び「第１ブロックないし第１２ブロック」は、それぞれ、本願発明の「原画像」、「フーリエ変換して」、「フーリエ変換像」、「計算機ホログラム」、「ホログラム」、「略点光源」、「『画像』の『再生』」及び「単位ホログラム」に相当する。
　
（２）引用発明の「フーリエ変換像（１画素＝２μｍ、ユニットセルサイズ＝９６０μｍ×９６０μｍ、１６段の凹凸を持つ１６値のＣＧＨ（計算機ホログラム）であるユニットセル）」は、「複数（１２個）」あり、「複数の原画像（第１画像ないし第１２画像）」に対し、その周囲に黒い余白を設けて作成した全体で４８０画素×４８０画素である第１原画ないし第１２原画に基づいて「フーリエ変換して（フーリエ変換を用いて）」作成したものであるから、本願発明の「フーリエ変換像」と、「複数の原画像をそれぞれフーリエ変換して得られる複数の対応する」ものである点で一致する。
　
（３）引用発明の「ホログラム（ホログラム記録媒体）」は、左から第６「単位ホログラム（ブロック）」、第５「単位ホログラム」、・・・、第１「単位ホログラム」の順に配列した凹凸パターンが形成されたシリコンウェハから作った金型に基づいて複製した第１「計算機ホログラム」及び第２「計算機ホログラム」を左目用と右目用として用意し、第１画像ないし第６画像のうちの左目に対する画像と右目に対する画像とが１つずつずれたペア画像になるように第１「計算機ホログラム」と第２「計算機ホログラム」とを離しその距離を調整して配置し、左目及び右目でそれぞれ第１「計算機ホログラム」及び第２「計算機ホログラム」を介して１つの点光源を覗き込むと、（左目，右目）＝（第１画像，第２画像），（第２画像，第３画像），・・・・・・・・（第５画像，第６画像）のように左目及び右目により点光源の位置に１つずつずれたペア画像の虚像が見えることとなり、このペア画像が視差のある画像としてそれぞれ左右の目に再生され、点光源が左右に動くと、左右のペア画像が順にシフトするので、点光源の位置に見える虚像があたかも動いているように見え、立体画像を再生することができ、同様に、上下方向についても第１画像ないし第６画像とそれぞれ５度の視差がある異なる第７画像ないし第１２画像から作成した第７「単位ホログラム」ないし第１２「単位ホログラム」を含めて配列して作成した第２ホログラム群から第１「計算機ホログラム」及び第２「計算機ホログラム」を作成すると、像が上下方向も含めて変化する様子を見ることができるようにしたものである。
　また、点光源が左右に動くと見える虚像があたかも動いているように見えるとは、左右方向の複数の位置にある複数の点光源に対応して見える虚像の位置が互いに異なっていることを意味し、像が上下方向も含めて変化する様子を見ることができるとは、上下方向の複数の位置にある複数の点光源に対応して見える虚像の位置が互いに異なっていることを意味する。
　してみると、引用発明の「ホログラム」と本願発明の「ホログラム」とは、「同一面上に所定の２次元配列原理に基づいて配列して計算機ホログラムとして作成された」点、「前記ホログラムを通して片目で背後の複数の略点光源を見たときに、前記複数のフーリエ変換像の配列位置に応じて複数の画像が同時に並列して再生されるものであ」る点、「複数の原画像に対応する単位ホログラムを同一面上に所定の２次元配列原理に基づいて配列されて」いる点で一致する。
　
（４）引用発明の「単位ホログラム（第１ブロックないし第１２ブロック）」は、「原画像（第１画像ないし第６画像）」に対し、その周囲に黒い余白を設けて作成した全体で４８０画素×４８０画素である第１原画ないし第６原画に基づいて「フーリエ変換して（フーリエ変換を用いて）」、「フーリエ変換像（１画素＝２μｍ、ユニットセルサイズ＝９６０μｍ×９６０μｍ、１６段の凹凸を持つ１６値のＣＧＨ（計算機ホログラム）である第１ユニットセルないし第６ユニットセル」を作成し、「フーリエ変換像」を横に５個、縦に１０個並べ作成したものであるから、本願発明の「単位ホログラム」と、「各原画像に対応する前記フーリエ変換像を複数並列配列して構成され」る点及び「各原画像に対応する」点で一致する。
　
（５）引用発明の「複数の単位ホログラム（第１ブロックないし第１２ブロック）」は、各々横４．８ｍｍ×縦９．６ｍｍであるから、本願発明の「各々の最大径が４ｍｍ以上、２Ｌ・ｔａｎ１０°以下の大きさの任意の形状のものからなる複数の単位ホログラム」と、「各々の最大径が４ｍｍ以上の大きさの任意の形状のものからなる」点で一致する。
　
（６）上記（１）ないし（５）からみて、本願発明と引用発明とは、
「複数の原画像をそれぞれフーリエ変換して得られる複数の対応するフーリエ変換像を、同一面上に所定の２次元配列原理に基づいて配列して計算機ホログラムとして作成されたホログラムであって、前記ホログラムを通して片目で背後の複数の略点光源を見たときに、前記複数のフーリエ変換像の配列位置に応じて複数の画像が同時に並列して再生されるものであり、
　各原画像に対応する前記フーリエ変換像を単数又は複数並列配列して各原画像に対応する単位ホログラムが構成され、複数の原画像に対応する単位ホログラムを同一面上に所定の２次元配列原理に基づいて配列されており、
　前記複数の単位ホログラム各々の最大径が４ｍｍ以上の大きさの任意の形状のものからなるホログラム。」である点で一致し、次の点で相違する。
　
相違点：
　前記複数の単位ホログラム各々の最大径が、本願発明では、「２Ｌ・ｔａｎ１０°以下」であるのに対し、引用発明では２Ｌ・ｔａｎ１０°以下かどうか明らかでない点。
　
５　判断
　上記相違点について検討する。
（１）本願明細書の発明の詳細な説明には「Ｌは眼２２からホログラム１４までの距離である。」（【００２３】）と記載されていることからみて、上記相違点に係る本願発明の「Ｌ」は、「ホログラムを通して片目で背後の複数の略点光源を見たとき」の「目からホログラムまでの距離」であると解される。
　
（２）引用発明において、ホログラム記録媒体は、左目で第１ＣＧＨを介して１つの点光源を覗き込むと、第１画像、第２画像、・・・・・・、第５画像のように左目により点光源の位置に画像の虚像が見え、この画像が左目に再生され、点光源が左右に動くと画像が順にシフトし、点光源の位置に見える虚像も動いているように見え、像が上下方向も含めて変化する様子を見ることができ、同様に、右目で第２ＣＧＨを介して１つの点光源を覗き込むと、第２画像、第３画像、・・・・・・、第６画像のように右目により点光源の位置に画像の虚像が見え、この画像が右目に再生され、点光源が左右に動くと画像が順にシフトし、点光源の位置に見える虚像も動いているように見え、像が上下方向も含めて変化する様子を見ることができるものであるから、「ホログラムを通して片目で背後の複数の略点光源を見たとき目からホログラムまでの距離Ｌがある」ことが明らかである。
　引用発明の「複数の単位ホログラム各々の最大径」は横４．８ｍｍ×縦９．６ｍｍの９．６ｍｍであるといえるから、引用発明において、「ホログラムを通して片目で背後の複数の略点光源を見たときの目からホログラムまでの距離Ｌ」が２８ｍｍ以上になると２Ｌ・ｔａｎ１０°以下であるといえるところ、引用発明において、第１画像ないし第６画像のうちの左目に対する画像と右目に対する画像とが１つずつずれたペア画像になるように第１ＣＧＨと第２ＣＧＨとを離しその距離を調整して配置する際には、左目及び第１ＣＧＨ間の距離と、右目及び第２ＣＧＨ間の距離とを定めておく必要があるので、その際に「ホログラムを通して片目で背後の複数の略点光源を見たときの目からホログラムまでの距離Ｌ」を２８ｍｍ未満にしなければならない特段の理由はないから、該距離Ｌとして２８ｍｍ以上のある値の距離を定めて第１ＣＧＨと第２ＣＧＨとの距離を調整することは、当業者が適宜なし得た程度のことである。
　
（３）したがって、引用発明において、上記相違点に係る本願発明の構成となすことは、当業者が適宜なし得た程度のことである。
　
（４）本願発明の奏する効果は、引用発明の奏する効果から当業者が予測することができた程度のことである。
　
（５）まとめ
　したがって、本願発明は、当業者が引用例に記載された発明に基づいて容易に発明をすることができたものである。
　
６　むすび
　本願発明は、以上のとおり、当業者が引用例に記載された発明に基づいて容易に発明をすることができたものであるから、特許法第２９条第２項の規定により特許を受けることができない。
　よって、結論のとおり審決する。